(57)【要約】【課題】簡単な構成でなるべく周囲への迷惑となることのない、身障者用駐車場管理システムを提供する。【解決手段】この身障者用駐車場管理システムは、身障者用駐車スペースへの進入車両を検知する物検センサ２と、この物検センサ２が進入車両を検知したときに、当該進入車両に対する啓発・啓蒙コメントを流す音声スピーカー４と、制御装置５とを備え、この制御装置５は、物検センサ２が車両を検知しなくなったときには、音声スピーカー４による啓発・啓蒙コメントを直ちに打ち切る第一モード５１ａと、前記物検センサ２が車両を検知しつづけるときには、音声スピーカー４による啓発・啓蒙コメントを設定時間で打ち切る第二モード５１ｂとを備えている。【選択図】図２
0003155644.tif 000002
【実用新案登録請求の範囲】
【請求項１】
身障者用駐車スペースへの進入車両を検知する物検センサと、この物検センサが進入車両を検知したときに、当該進入車両に対する啓発・啓蒙コメントを流す音声スピーカーと、制御装置とを備えた身障者用駐車場管理システムであって、
前記制御装置は、
前記物検センサが車両を検知しなくなったときには、前記音声スピーカーによる啓発・啓蒙コメントを直ちに打ち切る第一モードと、
前記物検センサが車両を検知しつづけるときには、前記音声スピーカーによる啓発・啓蒙コメントを設定時間で打ち切る第二モードと
を備えたことを特徴とする身障者用駐車場管理システム。
【請求項２】
前記設定時間は調整可能であることを特徴とする請求項１記載の身障者用駐車場管理システム。
【請求項３】
身障者マークを含む映像コメントを表示する電光掲示板を備え、前記制御装置は、前記物検センサが車両を検知するか否かにかかわらず、前記電光掲示板による映像コメントを常時表示させることを特徴とする請求項１または２記載の身障者用駐車場管理システム。
【請求項４】
ソーラーパネルと、ソーラーパネルから供給される電力を蓄電するバッテリーとからなる電源をさらに備えたことを特徴とする請求項１〜３のいずれか１項に記載の身障者用駐車場管理システム。
【考案の詳細な説明】
【技術分野】
【０００１】
本考案は、身障者用駐車スペースへの一般車両の進入を防止する為の身障者用駐車場管理システムに関するものである。
【背景技術】
【０００２】
従来、駐車場において身障者の乗った車両への便宜を図る為、身障者用駐車スペースが設けられている。しかし、一般の車両が身障者用駐車スペースに進入した際、本来使用すべき身障者が駐車スペースを使用出来ず、大変不便になってしまう。この為、カラーコーンや柵を身障者用駐車スペース上に仮置することがあるが、当該身障者用駐車スペースを利用しようとする身障者がカラーコーン等を自ら取り除くことは極めて困難であった。
【０００３】
そこで、身障者用駐車スペースへの一般車両の進入を防止する為の、身障者用駐車場管理システムに関する種々な技術が開発されている。例えば、特許文献１に記載された身障者用駐車場管理システムでは、身障者用駐車スペースに車両が進入したとき、当該進入車両をセンサで検出する。すると、身障者用駐車場管理システムから、音声・光などによる警告が発せられるのであるが、その際には、障害者が予め所持している例えばＩＣカードを、当該システムで用意された装置のカード挿入口に差し込むことで、身障者のみが警告を止めることが出来るようになっている。
【考案の概要】
【考案が解決しようとする課題】
【０００４】
しかしながら、前記特許文献１に記載された従来技術では、身障者がＩＣカードを忘れたときや、それを所持していないものは身障者用駐車スペースを利用出来ない。しかも、カード読み取り装置を取り付ける為、コストが掛かってしまう。また、一般の車両が不当に身障者用スペースに居座ってしまった場合、いつまでもアナウンスが鳴りっ放しになってしまい、周囲への迷惑となることがある。
【０００５】
本考案は、上記事情に鑑みたものであり、その目的とするところは、簡単な構成でなるべく周囲への迷惑となることのない、身障者用駐車場管理システムを提供することである。
【課題を解決するための手段】
【０００６】
本考案は、身障者用駐車スペースへの進入車両を検知する物検センサと、この物検センサが進入車両を検知したときに、当該進入車両に対する啓発・啓蒙コメントを流す音声スピーカーと、制御装置とを備えた身障者用駐車場管理システムであって、前記制御装置は、前記物検センサが車両を検知しなくなったときには、前記音声スピーカーによる啓発・啓蒙コメントを直ちに打ち切る第一モードと、前記物検センサが車両を検知しつづけるときには、前記音声スピーカーによる啓発・啓蒙コメントを設定時間で打ち切る第二モードとを備えたことを特徴とするものである。
【０００７】
本考案によれば、前記制御装置は、前記物検センサが車両を検知しなくなったときには、前記音声スピーカーによる啓発・啓蒙コメントを直ちに打ち切る第一モードと、前記物検センサが車両を検知しつづけるときには、前記音声スピーカーによる啓発・啓蒙コメントを設定時間で打ち切る第二モードとを備えたので、仮に不当に進入してきた車両が身障者用駐車スペースから出ていってくれた場合には、前記啓発・啓蒙コメントを直ちに停止する一方、仮に不当に進入してきた車両が身障者用駐車スペースに居座ってしまった場合でも、前記啓発・啓蒙コメントを流しっ放しにしてしまうおそれがなくなり、いつまでも周りに不快感を与え続けないようにすることが出来る。
【０００８】
また、本考案によれば、大掛かりな構成とはならない為、製作コストを安価に抑えることが出来るとともに、それを設置場所に運び込む際の手間もかからないというメリットもある。
【０００９】
ところで、間違って身障者用駐車スペースに進入した車両が、そこから出ていくことが出来るまでの時間は諸般の事情によって異なるのが通常であるから、設定時間を短くしすぎると、車両が出ていくまでに前記啓発・啓蒙コメントが停止してしまい。その車両が戻ってくるおそれがある。その一方、設定時間が長すぎると、車両が出ていった後に前記啓発・啓蒙コメントを流しっ放しとなってしまい、周囲に不快感を与え続けることとなる。そこで、請求項２記載の考案のように、前記設定時間は調整可能であることが好ましい。
【００１０】
請求項２記載の考案によれば、前記設定時間は調整可能であるので、間違って身障者用駐車スペースに進入した車両がそこから出ていくまでの時間を十分に確保することが出来る。
【００１１】
請求項３記載の考案のように、身障者マークを含む映像コメントを表示する電光掲示板を備え、前記制御装置は、前記物検センサが車両を検知するか否かにかかわらず、前記電光掲示板による映像コメントを常時表示させることが好ましい。
【００１２】
請求項３記載の考案によれば、身障者マークを含む映像コメントを表示する電光掲示板を備え、前記制御装置は、前記物検センサが車両を検知するか否かにかかわらず、前記電光掲示板による映像コメントを常時表示させるので、一般の車両が誤って身障者用駐車スペースに進入することを未然に防止出来る。また、前記音声スピーカーによる啓発・啓蒙コメントの効果をより引き立たせることが出来る。更に、仮に車両の搭乗者に聴覚の障害があったとしても、視覚で身障者用駐車スペースであることを知らせることが出来る。
【００１３】
請求項４記載の考案のように、ソーラーパネルと、ソーラーパネルから供給される電力を蓄電するバッテリーとからなる電源をさらに備えることが好ましい。
【００１４】
請求項４記載の考案によれば、ソーラーパネルと、ソーラーパネルから供給される電力を蓄電するバッテリーとからなる電源をさらに備えたので、外部電源が不要となり、これにより経済的で環境に優しいシステムを構築することが出来る。
【考案の効果】
【００１５】
本考案によれば、前記制御装置は、前記物検センサが車両を検知しなくなったときには、前記音声スピーカーによる啓発・啓蒙コメントを直ちに打ち切る第一モードと、前記物検センサが車両を検知しつづけるときには、前記音声スピーカーによる啓発・啓蒙コメントを設定時間で打ち切る第二モードとを備えたので、仮に不当に進入してきた車両が身障者用駐車スペースから出ていってくれた場合には、前記啓発・啓蒙コメントを直ちに停止する一方、仮に不当に進入してきた車両が身障者用駐車スペースに居座ってしまった場合でも、前記啓発・啓蒙コメントを流しっ放しにしてしまうおそれがなくなり、いつまでも周りに不快感を与え続けないようにすることが出来る。
【００１６】
また、本考案によれば、大掛かりな構成とはならない為、製作コストを安価に抑えることが出来るとともに、それを設置場所に運び込む際の手間もかからないというメリットもある。
【図面の簡単な説明】
【００１７】
【図１】本考案の一実施形態に係る身障者用駐車場管理システムの全体構成を示す図である。
【図２】本身障者用駐車場管理システムの制御系を示す機能ブロック図である。
【図３】本身障者用駐車管理場システムの制御動作を示すフローチャートである。
【考案を実施するための形態】
【００１８】
図１は、本考案の一実施形態に係る身障者用駐車場管理システム（以下、「身障者用駐車場管理システム」という。）１０の全体構成を示す図である。図１に示すように、身障者用駐車場管理システム１０は、例えば駐車場において身障者の車両を止める為の身障者用駐車スペースの２つ分（２０，２０）をカバーするように、身障者用駐車スペース２０，２０の図１における後方中間部分に設置されるものである。身障者用駐車スペース２０，２０は、それぞれ車椅子での昇降が出来るような所定広さのスペースとなっており、通常、該スペースが身障者用駐車スペース２０，２０であることを示す身障者マーク（車椅子のマーク）２１，２１がそれぞれ描かれている。
【００１９】
身障者用駐車場管理システム１０は、直方体状の筐体１と、筐体１の上面前方に配置された物検センサ２と、筐体１の正面上方に配置された電光掲示板３と、その直下に配置された音声スピーカー４と、筐体１の内部に配置された制御装置（図２参照。）５と、電源６とを備えている。
【００２０】
物検センサ２は、例えば超音波センサなどの非接触センサで構成されており、身障者用駐車スペース２０，２０に車両２２が進入してきたとき、その車両２２が当該スペースにあることを検知し、身障者用駐車スペース２０，２０から車両２２が出ていった際、その車両２２が当該スペース内にないことを検知するものである。
【００２１】
音声スピーカー４は、物検センサ２が身障者用駐車スペース２０，２０への進入車両２２を検知したときに、当該車両２２に対するアナウンスとして啓発・啓蒙コメントを流すものである。啓発・啓蒙コメントは、例えば「ここは身障者の方の為の駐車スペースです。一般の方は駐車をご遠慮ください。」などである。気付かずに身障者用駐車スペース２０，２０に進入した車両２２が一般の車両であったときには、運転者がかかる啓発・啓蒙コメントを聞いて、当該車両２２が身障者用駐車スペース２０，２０から直ちに出ていくことが期待される。
【００２２】
電光掲示板３は、映像コメントを表示することが出来るものである。映像コメントは、例えば「身障者マーク」に続けて、「ここは身障者の方の為の駐車スペースです。一般の方は駐車をご遠慮ください。」などといったコメントをスクロール表示または点滅させるものである。気付かずに身障者用駐車スペース２０，２０に進入しようとした車両２２が一般の車両であったときには、運転者がかかる映像コメントを見て、当該車両２２が身障者用駐車スペース２０，２０に進入することを未然に思いとどまることが期待される。
【００２３】
図２は、本身障者用駐車場管理システムの制御系を示す機能ブロック図である。制御装置５は、図２に示すように、例えばマイクロコンピュータからなり、各種演算等を実行するＣＰＵ（Ｃｅｎｔｒａｌ  ｐｒｏｃｅｓｓｉｎｇ  ｕｎｉｔ）と、各種プログラム等を予め記憶しておくＲＯＭ（Ｒｅａｄ−ｏｎｌｙ  ｍｅｍｏｒｙ）と、各種データ等を一時的に記憶するＲＡＭ（Ｒａｎｄａｍ−ａｃｃｅｓｓ  ｍｅｍｏｒｙ）と、タイマーとを備えており、これに前記各要素２〜４，６がそれぞれ電気的に接続されている。
【００２４】
そして、前記ＲＯＭに記憶しておいた各種プログラム等を前記ＣＰＵに読み込んで実行することで、アナウンス制御部５１と表示制御部５２とがそれぞれ構築されるようになっている。
【００２５】
アナウンス制御部５１は、物検センサ２で車両２２を検出するものであるが、その物検センサ２が車両２２を検知しなくなったときには、音声スピーカー４による啓発・啓蒙コメントを直ちに打ち切る第一モード５１ａと、物検センサ２が車両２２を検知しつづけるときには、前記タイマーによるカウントダウンまたはカウントアップを行い、前記音声スピーカー４による啓発・啓蒙コメントを設定時間で打ち切る第二モード５１ｂとを備えている。
【００２６】
設定時間は、間違って身障者用駐車スペース２０，２０の一方に進入した車両２２が、そこから出ていくことが出来るまでの時間（例えば５分程度）とするが、この設定時間は諸般の事情（例えばバックしづらいところにあるなど。）に応じて前記タイマーの時間調整を行うことにより変更可能である。
【００２７】
表示制御部５２は、物検センサ２が車両２２を検知するか否かにかかわらず、電光掲示板３よる映像コメントを常時表示させるものである。ここでは、スクロール表示または点滅表示させることが出来るようになっている。
【００２８】
電源６は、ソーラーパネル６１と、蓄電用バッテリー６２を備えている。ソーラーパネル６１は、筐体１の上面後方に配置され、太陽光を受けて発電をするものである。蓄電用バッテリー６２は、筐体１の内部に配置され、ソーラーパネル６１から供給される電力を蓄電するとともに、その蓄電した電力を前記各要素２〜５にそれぞれ供給するものである。
【００２９】
図３は、本身障者用駐車管理場システム１０の制御動作を示すフローチャートである。以下では、本身障者用駐車場管理システム１０の制御動作を説明する。
【００３０】
図３において、身障者用駐車場管理システム１０の電源６のスイッチ（図示せず。）が入ると、制御装置５の表示制御部５２は、電光掲示板３における表示を開始する（ステップＳ１）。これにより、一般の車両２２が誤って身障者用駐車スペース２０，２０に進入することを未然に防止出来る。また、後述する音声スピーカー４による啓発・啓蒙コメントの効果をより引き立たせることが出来る。更に、仮に車両２２の搭乗者に聴覚の障害があったとしても、視覚で身障者用駐車スペース２０，２０であることを知らせることが出来る。
【００３１】
次いで、アナウンス制御部５１は、物検センサ２で車両２２の検出を開始し（ステップＳ２）、物検センサ２が車両２２を検知しない限り（ステップＳ２でＮｏ）、物検センサ２による車両２２の検知を繰り返し、物検センサ２が車両２２を検知したときには（ステップＳ２でＹｅｓ）、音声スピーカー４によるアナウンスで啓発・啓蒙コメントを流し始める（ステップＳ３）。これにより、聴覚により駐車しようとしているスペースが身障者用駐車スペース２０，２０であることを知らせることが出来るようになっている。
【００３２】
次いで、アナウンス制御部５１は、前記タイマーによるカウントダウンまたはカウントアップにより設定時間が経過したか否かを判断し（ステップＳ４）、設定時間を経過していないと判断した場合には（ステップＳ４でＮｏ）、物検センサ２が車両２２を検知する限り（ステップＳ５でＹｅｓ）、ステップＳ４に戻る（ステップＳ５）。
【００３３】
次いで、アナウンス制御部５１は、設定時間を経過したと判断した場合には（ステップＳ４でＹｅｓ）、音声スピーカー４による啓発・啓蒙コメントを停止して（ステップＳ６）、ステップＳ２に戻る。これにより第二モード５１ｂが実行される。
【００３４】
一方、ステップＳ５において、アナウンス制御部５１は、物検センサ２が車両２２を検知しないときには（ステップＳ５でＮｏ）、音声スピーカー４による啓発・啓蒙コメントを直ちに停止して（ステップＳ６）、ステップＳ２に戻る。これにより第一モード５１ａが実行される。
【００３５】
身障者用駐車場管理システム１０の電源６のスイッチ（図示せず。）を切ると、ループを抜け出して、リセットされる。すなわち、制御装置５の表示制御部５２は、電光掲示板３における表示を終了し、アナウンス制御部５１は、物検センサ２の検知を終了する。
【００３６】
以上説明したように、本身障者用駐車場管理システム１０によれば、物検センサ２にて車両２２の進入を検知した際、音声スピーカー４により、啓発・啓蒙コメントを流すとともに、該物検センサ２による車両２２の感知がされなくなったときには、音声スピーカー４による、啓発・啓蒙コメントを直ちに打ち切る第一モード５１ａと、物検センサ２による検知がされ続けるときには、音声スピーカー４による、啓発・啓蒙コメントを設定時間で打ち切る第二モード５１ｂとを備えたので、仮に不当に進入してきた車両２２が身障者用駐車スペース２０，２０の少なくとも一方に居座ってしまったときでも、啓発・啓蒙コメントが鳴りっ放しになってしまうおそれがなくなり、いつまでも周りに不快感を与え続けないようにすることが出来るようになる
【００３７】
また、本身障者用駐車管理場システム１０によれば、大掛かりな構成とはならない為、製作コストを安価に抑えることが出来、それを身障者用駐車スペース２０，２０に設置する際の手間もかかないというメリットもある。
【００３８】
なお、上記実施形態では、身障者用駐車スペースが２つ（２０，２０）ある場合を例示したが、少なくとも１つ以上あればよく、複数の身障者用駐車スペースへ同時に車両が進入することが少ないことから、複数の身障者用スペースに対して本身障者用駐車場管理システム１０をそれよりも少なくして設けることが経済的である。
【００３９】
また、上記実施形態では、アナウンス制御部５１は第一モード５１ａと、第二モード５１ｂの両方を備えているが、第二モード５１ｂのみを設けることとしてもよい。また、表示制御部５２をも備えたが、この表示制御部５２を省略してもよいのはもちろんである。
【００４０】
また、上記実施形態では、物検センサ２は、例えば超音波センサなどの非接触センサであるとしたが、この物検センサ２は、例えばフォトインタラプタなどの非接触センサ、あるいは、例えばロードセルなどの接触センサであってもよい。
【００４１】
また、上記実施形態では、電源６として、ソーラーパネル６１と蓄電用バッテリー６２とを備えたが、通常電源から電力供給をしてもよく、さらに、両者を設けることとしてもよい。
【符号の説明】
【００４２】
１０  駐車場管理システム
２０  身障者用駐車スペース
２１  身障者マーク
２２  車両
１  筐体
２  物検センサ
３  電光掲示板
４  音声スピーカー
５  制御装置
５１  アナウンス制御部
５１ａ  第一モード
５１ｂ  第二モード
５２  表示制御部
６  電源
６１  ソーラーパネル
６２  バッテリー
【先行技術文献】
【特許文献】
【００４３】
【特許文献１】実用新案登録第３０９４０７７号公報
【図１】
0003155644.tif 000003
【図２】
0003155644.tif 000004
【図３】
0003155644.tif 000005